(57)【要約】【課題】安価な構成で操作スイッチのオン・オフの状態を非接触で検知することを目的とする。【解決手段】カバー１０側のプリント基板２５には、パターン配線で形成した二次コイルＬ２と操作スイッチＳＷとを直列に接続した操作部回路２４が設けられる。一方、箱体１１側のプリント基板３５には、抵抗器Ｒと、交流電源ＡＣと、パターン配線で形成した一次コイルＬ１とを直列に接続すると共に、一次コイルＬ１の両端電圧Ｖａｂを整流・平滑する整流回路３３，平滑回路３２と、平滑した電圧値で操作スイッチＳＷのオン・オフを判定するＳＷオン・オフ判定回路３１とを備えた制御部回路３４が設けられる。非接触スイッチ装置２は、この制御部回路３４と操作部回路２４とから構成され、一次コイルＬ１のインダクタンス変化による両端電圧Ｖａｂの変化を検出して操作スイッチＳＷのオン・オフの状態を検知する。【選択図】　図１
2004087250.tif 000002
【特許請求の範囲】
【請求項１】
抵抗器と、交流電源と、プリント基板上にパターン配線で形成した一次コイルとを直列に接続した制御部回路、および、
上記制御部回路とは別のプリント基板上でかつ上記一次コイルと相互誘導が起きる位置においてパターン配線で形成した二次コイルと、操作スイッチとを直列に接続した操作部回路
を別々に備え、
上記操作スイッチのオン・オフの状態を上記一次コイルのインダクタンス変化により検知することを特徴とする非接触スイッチ装置。
【請求項２】
上記一次コイルと並列に第１コンデンサを接続して上記制御部回路を並列共振回路として構成すると共に、上記二次コイルと直列に第２コンデンサを接続して上記操作部回路を直列共振回路として構成したことを特徴とする請求項１記載の非接触スイッチ装置。
【請求項３】
機器外装ケーシングの一部を開口し、該開口を着脱自在に覆う蓋体に上記操作部回路を設け、該機器外装ケーシング内に機器収納部品と共に上記制御部回路を収納したことを特徴とする請求項１または２記載の非接触スイッチ装置。
【請求項４】
上記二次コイルを複数のコイルに分割し、上記操作スイッチの操作により該二次コイルの合成インダクタンスを切り替えることを特徴とする請求項３記載の非接触スイッチ装置。
【発明の詳細な説明】
【０００１】
【発明の属する技術分野】
本発明は、操作スイッチのオン・オフの状態を非接触で検知する非接触スイッチ装置に関する。
【０００２】
【従来の技術】
従来から給湯器は、図１４に示すように、給水管５１および出湯管５２が接続される熱交換器５３と、この熱交換器５３を加熱するバーナ５４と、バーナ５４に燃焼用空気を供給するファン５５と、バーナ５４の燃焼により熱交換器５３で通水を加熱して設定温度で出湯管５２から出湯するよう燃焼制御を行うコントローラ１３０とを、前面（図１４では右側）に開口部１１ａを形成した外装ケーシング１１に収納し、その前開口部１１ａを平板形状のカバー１０で着脱可能に覆って構成される。
このカバー１０には、給湯器１０１の運転の開始・停止を行うための運転スイッチＳＷや設定温度を増減するアップスイッチ，ダウンスイッチ（図示略）を備えた操作部１２０が設けられ、外装ケーシング１１側のコントローラ１３０は、操作スイッチのオン・オフの状態を検知するために、各操作スイッチと有線で接続される。
【０００３】
【発明が解決しようとする課題】
しかしながら、こうした給湯器１０１では、有線接続するためのコネクタ１４０や配線材１４１が必要となり、その材料費や接続作業コストがかかる。しかも、配線材１４１が邪魔になってカバー１０の外装ケーシング１１への着脱作業がしづらかった。
また、この有線接続に代えて、電波，音波，光方式等の無線で操作部の操作信号をコントローラへ送信する非接触スイッチ装置を用いる場合には、操作部１２０に無線回路駆動用の電源を設ける必要があり、しかも、操作部１２０の回路が複雑になって、製造コストが高くなってしまう。
本発明の非接触スイッチ装置は上記課題を解決し、安価な構成で操作スイッチのオン・オフの状態を非接触で検知することを目的とする。
【０００４】
【課題を解決するための手段】
上記課題を解決する本発明の請求項１記載の非接触スイッチ装置は、
抵抗器と、交流電源と、プリント基板上にパターン配線で形成した一次コイルとを直列に接続した制御部回路、および、
上記制御部回路とは別のプリント基板上でかつ上記一次コイルと相互誘導が起きる位置においてパターン配線で形成した二次コイルと、操作スイッチとを直列に接続した操作部回路
を別々に備え、
上記操作スイッチのオン・オフの状態を上記一次コイルのインダクタンス変化により検知することを要旨とする。
【０００５】
また、本発明の請求項２記載の非接触スイッチ装置は、上記請求項１記載の非接触スイッチ装置において、
上記一次コイルと並列に第１コンデンサを接続して上記制御部回路を並列共振回路として構成すると共に、上記二次コイルと直列に第２コンデンサを接続して上記操作部回路を直列共振回路として構成したことを要旨とする。
【０００６】
また、本発明の請求項３記載の非接触スイッチ装置は、上記請求項１または２記載の非接触スイッチ装置において、
機器外装ケーシングの一部を開口し、該開口を着脱自在に覆う蓋体に上記操作部回路を設け、該機器外装ケーシング内に機器収納部品と共に上記制御部回路を収納したことを要旨とする。
【０００７】
また、本発明の請求項４記載の非接触スイッチ装置は、上記請求項３記載の非接触スイッチ装置において、
上記二次コイルを複数のコイルに分割し、上記操作スイッチの操作により該二次コイルの合成インダクタンスを切り替えることを要旨とする。
【０００８】
上記構成を有する本発明の請求項１記載の非接触スイッチ装置は、交流電源を備えた制御部回路では一次コイルの電流が変化して、二次コイルを貫く磁束も変化する。操作スイッチがオンして操作部回路が閉回路になると、相互誘導が起きて一次コイルのインダクタンスが変化する。この変化を捕らえて操作スイッチのオン・オフの状態を検知する。
尚、インダクタンス変化を捕らえる方法として、電圧を検出してもよいし、電流や位相を検出して電圧に変換してもよいし、また、電力を検出してもよい。
【０００９】
また、本発明の請求項２記載の非接触スイッチ装置は、操作スイッチがオフの時に相互誘導が起きないため制御部回路が並列共振回路となり、一次コイルの電圧が共振周波数で極大となる。
操作スイッチがオンすると相互誘導が起きるため、制御部回路と操作部回路を合成した等価回路は、並列共振回路と直列共振回路との合成回路となる。一般に、直列共振回路では、一次コイルの電圧が共振周波数で極小となるため、この合成回路では、一次コイルの電圧が共振周波数を中心にして大きく下がる。
この一次コイルの電圧の変化に基づいてインダクタンス変化を捕らえ、操作スイッチ情報を検知する。
【００１０】
また、本発明の請求項３記載の非接触スイッチ装置は、操作スイッチのオン・オフの状態を非接触で検知するため、操作部回路を備えた蓋体と、制御部回路を収納した機器外装ケーシングとを有線接続する必要が無く、蓋体を完全に機器外装ケーシングから取り外すことができる。
また、蓋体の装着に合わせて、両回路が互いに所定の向かい合う位置に配置される。
【００１１】
また、本発明の請求項４記載の非接触スイッチ装置は、蓋体が機器外装ケーシングから取り外される場合では、二次コイルが一次コイルから遠ざかって相互誘導が起きない。一方、蓋体が装着されている場合では、相互誘導が起きるが、二次コイルの合成インダクタンスは、操作スイッチのオンの場合とオフの場合とで異なる。
このようなインダクタンス変化の違いを利用して操作スイッチの状態を検知する。この結果、操作スイッチがオフなのか、それとも蓋体が機器外装ケーシングから外されているのかを判別できる。
【００１２】
【発明の実施の形態】
以上説明した本発明の構成・作用を一層明らかにするために、以下本発明の非接触スイッチ装置の好適な実施形態について説明する。
【００１３】
本発明の第１実施形態として給湯器に備えられた非接触スイッチ装置について図１〜図７を用いて説明する。尚、従来例と異なる部分について説明し、重複する部分に関しては同一符号を付してその説明を省略する。
図１は、着脱可能なカバー１０（蓋体）を箱体１１（機器外装ケーシング）に取り付けた給湯器１を示す。また、図２（ａ）は後述のプリント基板２５の正面図であり、一方、図２（ｂ）はその背面図である。
【００１４】
カバー１０には、図１，図２に示すように、プッシュ式の運転スイッチＳＷａ，アップスイッチＳＷｂ，ダウンスイッチＳＷｃ（以降、操作スイッチの種類を区別しない場合は符号末尾のａ，ｂ，ｃを省略する）をプリント基板２５の前面（図１では右側）に備えた操作部２０が設けられる。
一方、このプリント基板２５の後面には、パターン配線で形成した二次コイルＬ２ａ，Ｌ２ｂ，Ｌ２ｃが設けられ、図４に示すように、前面の各操作スイッチＳＷａ，ＳＷｂ，ＳＷｃと直列にそれぞれ接続される。これらによって操作部回路２４ａ，２４ｂ，２４ｃが構成される。この二次コイルＬ２は、空芯コイルであり、コイルの軸がカバー１０と垂直になるように配置されている。
【００１５】
一方、箱体１１内には燃焼制御を行うコントローラ３０が設けられ、その前面にはプリント基板３５が形成される。このプリント基板３５は、カバー１０が箱体１１に取り付けられた時に、カバー１０のプリント基板２５と所定間隔ｄをあけて配置される。箱体１１側のプリント基板３５の前面には、図３に示すように、抵抗器Ｒと、交流電源ＡＣと、パターン配線で形成した一次コイルＬ１とを直列に接続した制御部回路３４が設けられる。
一次コイルＬ１は、カバー１０が箱体１１に取り付けられた時に二次コイルＬ２と同軸で対向する位置に設けられる。つまり、操作スイッチＳＷのオンにより二次コイルＬ２と相互誘導が起きるように構成されている。この一次コイルＬ１もまた空芯コイルである。尚、図３では、各操作スイッチＳＷａ，ＳＷｂ，ＳＷｃとの対応を示すために、一次コイルＬ１および制御部回路３４の符号末尾にそれぞれａ，ｂ，ｃを付した。
更に、制御部回路３４には、一次コイルＬ１の両端の電圧を整流する整流回路３３と、整流した電圧を平滑する平滑回路３２と、平滑した電圧値で操作スイッチＳＷのオン・オフの状態を判定するＳＷオン・オフ判定回路３１とが設けられる。
図４に示すように、この制御部回路３４と操作部回路２４とを合わせて非接触スイッチ装置２が構成される。
【００１６】
次に、非接触スイッチ装置２の操作スイッチＳＷのオン・オフ検知について説明する。
非接触スイッチ装置２では、制御部回路３４の一次コイルＬ１の電流が変化することにより、操作部回路２４の二次コイルＬ２を貫く磁束も変化する。この時、操作スイッチＳＷがオンすると、操作部回路２４が閉じて相互誘導が起き、一次コイルＬ１のインダクタンスが変化して、一次コイルＬ１の両端の電圧Ｖａｂが下がる。スイッチオン・オフ判定回路３１は、この電圧Ｖａｂを検出して操作スイッチＳＷのオン状態を検知する。
【００１７】
ここで、一次コイルＬ１のインダクタンスの変化による電圧Ｖａｂの低下について詳述する。尚、一次コイルＬ１，二次コイルＬ２の自己インダクタンスをＬ１，Ｌ２とおき、相互インダクタンスをＭとおき、交流電源ＡＣの電圧をＶｉｎとおく。
先ず、操作スイッチＳＷがオフの場合では、非接触スイッチ装置２は、図５に示す等価回路で表される。端子ａｂ点から右側のインピーダンスＺは、
Ｚ＝ｊωＬ１
が成り立つ。そして、この時の端子ａｂ間の検出電圧ＶａｂをＶｏｆｆとおくと、
Ｖｏｆｆ＝Ｖｉｎ・ωＬ１／｛Ｒ２＋（ωＬ１）２｝１／２
が成り立つ。
【００１８】
一方、操作スイッチＳＷがオンの場合では、非接触スイッチ装置２は、図６に示す等価回路で表される。端子ａｂ点から右側のインピーダンスＺは、
Ｚ＝ｊω（Ｌ１−Ｍ２／Ｌ２）
が成り立つ。そして、この時の端子ａｂ間の検出電圧ＶａｂをＶｏｎとおくと、Ｖｏｎ＝Ｖｉｎ・ω（Ｌ１−Ｍ２／Ｌ２）／｛Ｒ２＋ω２（Ｌ１−Ｍ２／Ｌ２）２｝１／２
…（数式１）
となり、操作スイッチＳＷオン時の電圧Ｖｏｎは、図７に示すように、オフ時の電圧Ｖｏｆｆよりも低くなる。この電圧変化の検出により、操作スイッチＳＷの操作情報が検知される。
このようにして、非接触スイッチ装置２は、操作スイッチＳＷのオン・オフ検知を非接触で行うことができ、給湯器１のカバー１０を箱体１１へ簡単に着脱できる。
【００１９】
上述したように、非接触スイッチ装置２は、操作部２０とコントローラ３０とが同一基板上にないが、操作スイッチ情報の検知を、一次コイルＬ１のインダクタンス変化による電圧変化を非接触で検出することにより実現している。
このように、電波，音波，光等を用いずに非接触検知を行うため、操作部回路２４に無線電波送信回路等の無線回路を駆動するための電源を設ける必要がなく、しかも、回路構成が簡単であり、また、電源のメンテナンスも不要になる。加えて、一次コイルＬ１，二次コイルＬ２には、鉄心やフェライト，パーマロイ等の磁性体を用いない安価な空芯コイルが採用されており、しかも、プリント基板上のパターン配線のみでコイルが形成される（つまり、部品を必要としない）。これらの結果、非接触スイッチ装置２の製造コストが低くなる。
従って、給湯器１は、製造コストを低く抑えたままカバー１０の箱体１１への着脱作業性を向上できる。
【００２０】
また、カバー１０を箱体１１に取り付けるだけで自然に一次コイルＬ１と二次コイルＬ２とが向き合って位置決めができ、組立作業が容易になる。また、コイル部品実装がないため、製造しやすく、しかもプリント基板２５，３５の高さ方向（図１では左右方向）のスペースに余裕を持たせることができ、操作部２０やコントローラ３０の配置自由度が大きくなる。
また、「運転スイッチ」、「設定温度のアップスイッチ」、「ダウンスイッチ」用の電気回路３つをセットとしてプリント基板２５上に形成しており、これらに対応する制御部回路３つも１セットとしてプリント基板３５上に形成しているため、製造コストが低くなり、しかも、プリント基板２５，３５をそれぞれ向い合わせるだけで、各電気回路を同時に位置決めできて組立作業コストも低く抑えることができる。
しかも、上述したようにカバー１０と箱体１１とを配線材で接続する必要がないため、カバー１０がメンテナンスの邪魔になることはない。
【００２１】
《第２実施形態》
次に、検知精度を向上させた第２実施形態について図８〜図１１を用いて説明する。尚、第１実施形態と異なる部分について説明し、重複する部分に関しては同一符号を付してその説明を省略する。
第２実施形態の非接触スイッチ装置３は、コンデンサを備えているため、コントローラ３０がカバー１０からある程度離れていても、つまり距離ｄが大きい場合でも、操作スイッチＳＷのオン・オフの検知精度を良好に維持できる。
【００２２】
非接触スイッチ装置３は、図８に示すように、操作部回路２９と制御部回路３９とから構成される。この操作部回路２９は、操作スイッチＳＷおよび二次コイルＬ２と直列に第２コンデンサＣ２を接続した直列共振回路であり、一方、制御部回路３９は、第１実施形態の制御部回路３４に、一次コイルＬ１と並列に接続される第１コンデンサＣ１を追加した並列共振回路である。
一般に、直列共振回路と並列共振回路とでは、周波数特性が異なる。並列共振回路の周波数特性は、共振周波数で極大となる山形状になり、一方、直列共振回路では、共振周波数で極小となる碗形状になる。
【００２３】
本実施形態の非接触スイッチ装置３は、操作スイッチＳＷがオフの場合では、相互誘導が起きないため、図９に示す等価回路で表され、その周波数特性は、図１１（実線）に示すように、並列共振回路と同じになる。つまり、一次コイルＬ１の電圧Ｖｏｆｆが共振周波数ｆｃで極大となる。
そして、操作スイッチＳＷがオンすると相互誘導が起きて、非接触スイッチ装置３は、図１０に示すように、制御部回路３９と操作部回路２９とを合成した等価回路で表され、並列共振回路と直列共振回路との合成回路となり、その周波数特性は、直列共振の影響を受け、図１１（破線および一点鎖線）に示すように、一次コイルＬ１の電圧が下がる（Ｖｏｎ）。この電圧の低下量は、共振周波数ｆｃで最大となる。
この一次コイルＬ１の電圧変化により操作スイッチ情報を検知する。
【００２４】
図１１は、操作スイッチＳＷがオンの時の周波数特性を、一次コイルＬ１と二次コイルＬ２との距離ｄが５ｍｍの場合（一点鎖線）と１０ｍｍの場合（破線）とに分けて示している。
ｄ＝１０の場合の共振周波数ｆｃにおける電圧をＶｏｎ１とし、ｄ＝５の場合の共振周波数ｆｃにおける電圧をＶｏｎ２とすると、ｄ＝１０の場合でも電圧Ｖｏｆｆと電圧Ｖｏｎ１との差が十分大きく取れて、操作スイッチ情報の検知精度が良好となる。また、電圧Ｖｏｎ２が電圧Ｖｏｎ１よりも更に低いため、ｄ＝５の場合の検知精度は非常に高い。尚、コイル径を大きくしたり、コイル巻数を増やせば、距離ｄが更に長くても検知精度を良好に維持できる。
【００２５】
上述したように、本実施形態の非接触スイッチ装置３では、操作部回路２９を二次コイルＬ２と第２コンデンサＣ２とで直列共振回路として構成すると共に、制御部回路３９を一次コイルＬ１と第１コンデンサＣ１とで並列共振回路として構成したため、一次コイルＬ１と二次コイルＬ２との距離ｄが大きい場合でも、精度良く操作スイッチＳＷのオン・オフの状態を検知できる。
従って、コントローラ３０をカバー１０からある程度遠く離れた位置に配置しても、操作スイッチＳＷのオン・オフ検知精度を良好に維持できる。
【００２６】
《第３実施形態》
次に、第３実施形態について図１２，図１３を用いて説明する。尚、第１実施形態と異なる部分について説明し、重複する部分に関しては同一符号を付してその説明を省略する。
第１実施形態では、操作スイッチＳＷがオフの場合と、カバー１０が外された場合（相互誘導が起きないほど一次コイルＬ１が二次コイルＬ２から遠く離れた場合）とを区別して検知することができない。これに対して、第３実施形態の非接触スイッチ装置４は、こうした区別をすることができるようにしたものである。
【００２７】
操作部回路２８は、操作スイッチＳＷを二次コイルＬ２の中間部と端部とで接続して構成される。つまり、二次コイルＬ２は、常時閉じた閉回路に設けられる第１コイルＬ２ａと、操作スイッチＳＷで開閉する開閉回路に設けられる第２コイルＬ２ｂとに分割される。尚、この第１コイルＬ２ａと第２コイルＬ２ｂは、同一軸心上に巻かれている。
【００２８】
制御部回路３４のＳＷオン・オフ判定回路３１は、次の３パターンを区別して操作スイッチＳＷの状態を検知する。
第１のパターンは、カバー１０が箱体１１から取り外された場合であり、一次コイルＬ１と二次コイル（第１コイルＬ２ａおよび第２コイルＬ２ｂ）とで相互誘導が起きない。
第２のパターンは、カバー１０が取り付けられていて操作スイッチＳＷがオフの場合であり、一次コイルＬ１と二次コイルの第１コイルＬ２ａとで相互誘導が起きて、インダクタンスが変化する。
第３のパターンは、カバー１０が取り付けられていて操作スイッチＳＷがオンの場合で、一次コイルＬ１と二次コイル（第１コイルＬ２ａおよび第２コイルＬ２ｂ）とで相互誘導が起きて、インダクタンスが第２のパターンの場合よりも大きく変化する。
このようなインダクタンス変化の違いから操作スイッチＳＷの状態を検知することで、操作スイッチＳＷがオフなのか、それともカバー１０が外されているのかも判別できる。
【００２９】
第１実施形態では、給湯器１のメンテナンスの際に、運転状況を確認するためにカバー１０を外すと、カバー１０側の二次コイルＬ２が箱体１１側の一次コイルＬ１から遠ざかって相互誘導が起きなくなるため、操作スイッチＳＷがオンであってもオフ操作されたとして検知され、運転が停止してしまい、カバー１０を外したまま運転状況を確認できない。
これに対して、第３実施形態では、操作スイッチＳＷがオンの状態でカバー１０が外されたことが検知できるため、カバー１０が外されてから（上述の第１のパターンが検知されてから）所定時間が経過するまでは運転を継続するように予め設定しておく。これにより、カバー１０を外してもしばらくの間は、バーナ５４の燃焼状態などの運転状況を確認できるようになり、メンテナンス性が向上する。
尚、第３実施形態は第１実施形態の変更例として説明したが、第２実施形態でも同様に適用できる。
【００３０】
ところで、第１実施形態や第２実施形態の構成はそのままで、カバー１０を外しても運転状況を確認できるようにするためには、操作スイッチＳＷがオンしてから所定時間が経過するまでは運転を継続するように予め設定することが考えられる。しかしながら、この所定時間内はカバー１０を取り付けて操作スイッチＳＷをオフしてもその操作が無視されてしまうため、運転の停止や設定温度の変更を行うことができない。これに対して、第３実施形態では、操作スイッチＳＷがオフなのか、カバー１０が外れているのかを区別することによって、安全に運転を確認できる。
【００３１】
以上本発明の実施形態について説明したが、本発明はこうした実施形態に何等限定されるものではなく、本発明の要旨を逸脱しない範囲において、種々なる態様で実施し得ることは勿論である。
例えば、操作部回路を電子レンジ，オーブン，グリルといった調理器の扉に、制御部回路を調理器本体に設けてもよく、本発明を適用する器具は限定されない。
また、第３実施形態において、相互誘導が起きていないと判断した時には（第１のパターン）、ブザーや表示器を作動して、使用者にカバー１０が正しく装着されていないことを報知してもよい。この結果、電子機器ではカバー外れによる誤作動を防止でき、また、燃焼機器では断熱が維持され安全に運転できる。
【００３２】
また、本実施形態では、一次コイルのインダクタンス変化を捕らえるために、電圧のみを検出していたが、これに代えて、電流を検出して電圧変化に変換して捕らえてもよいし、また、位相を検出して電圧変化に変換して捕らえてもよく、また、電圧および電流を検出してその積となる電力からインダクタンス変化を捕らえても構わない。
また、操作スイッチＳＷやコンデンサＣをプリント基板上に設けることに代えて、ケーブル等により空中配線してもよい。
【００３３】
【発明の効果】
以上詳述したように、本発明の請求項１の非接触スイッチ装置によれば、操作スイッチのオン・オフ検知を、一次コイルのインダクタンスの変化を捕らえて行うため、無線回路の駆動電源や磁性体を必要とせず、しかも、パターン配線によりコイル部品を実装しており、製造コストを低く抑えることができる。しかも、コイル部品が実装されるため、製造しやすく、また、プリント基板に大きなスペースを必要とせず、操作部回路や制御部回路を配置しやすい。
【００３４】
更に、本発明の請求項２の非接触スイッチ装置によれば、並列共振回路と直列共振回路とを用いて周波数特性の大きな変化を捕らえることができるため、一次コイルと二次コイルとの距離が多少離れても操作スイッチのオン・オフ検知精度を高く維持できる。
【００３５】
更に、本発明の請求項３の非接触スイッチ装置によれば、操作スイッチのオン・オフの状態を検知するために操作部回路と制御部回路とを有線接続する必要がないため、蓋体と機器外装ケーシングとを繋ぐ配線部材が不要になり、蓋体を完全に機器外装ケーシングから取り外すことができ、メンテナンスの際に蓋体が邪魔にならない。
また、蓋体を機器外装ケーシングに取り付けるだけでそのまま一次コイルと二次コイルＬ２の位置決めができ、組立作業が容易になる。
【００３６】
更に、本発明の請求項４の非接触スイッチ装置によれば、操作スイッチのオン・オフ状態を検知することに加えて、蓋体が機器外装ケーシングから外されているか否かも検知できる。
【図面の簡単な説明】
【図１】第１実施形態としての非接触スイッチ装置を備えた給湯器を側面から見た断面図である。
【図２】第１実施形態としての非接触スイッチ装置の操作部を正面および背面から見た断面図である。
【図３】第１実施形態としての非接触スイッチ装置のコントローラを正面から見た断面図である。
【図４】第１実施形態としての非接触スイッチ装置の電気回路図である。
【図５】第１実施形態としての非接触スイッチ装置の、操作スイッチがオフの時の等価回路図である。
【図６】第１実施形態としての非接触スイッチ装置の、操作スイッチがオンの時の等価回路図である。
【図７】第１実施形態としての非接触スイッチ装置の周波数特性を示した図である。
【図８】第２実施形態としての非接触スイッチ装置の電気回路図である。
【図９】第２実施形態としての非接触スイッチ装置の、操作スイッチがオフの時の等価回路図である。
【図１０】第２実施形態としての非接触スイッチ装置の、操作スイッチがオンの時の等価回路図である。
【図１１】第２実施形態としての非接触スイッチ装置の周波数特性を示した図である。
【図１２】第３実施形態としての非接触スイッチ装置の操作部回路の概略説明図である。
【図１３】第３実施形態としての非接触スイッチ装置の等価回路図である。
【図１４】従来例としての接触スイッチ装置を備えた給湯器を側面から見た断面図である。
【符号の説明】
１…給湯器、２，３，４…非接触スイッチ装置、１０…カバー、１１…箱体、２０…操作部、２４，２８，２９…操作部回路、２５，３５…プリント基板、３０…コントローラ、３１…ＳＷオン・オフ判定回路、３２…平滑回路、３３…整流回路、３４，３９…制御部回路、Ｌ１…一次コイル、Ｌ２…二次コイル、Ｌ２ａ…第１コイル、Ｌ２ｂ…第２コイル、Ｃ１…第１コンデンサ、Ｃ２…第２コンデンサ、ＳＷａ…運転スイッチ、ＳＷｂ…アップスイッチ、ＳＷｃ…ダウンスイッチ、Ｒ…抵抗器、ＡＣ…交流電源。
【図１】
2004087250.tif 000003
【図２】
2004087250.tif 000004
【図３】
2004087250.tif 000005
【図４】
2004087250.tif 000006
【図５】
2004087250.tif 000007
【図６】
2004087250.tif 000008
【図７】
2004087250.tif 000009
【図８】
2004087250.tif 000010
【図９】
2004087250.tif 000011
【図１０】
2004087250.tif 000012
【図１１】
2004087250.tif 000013
【図１２】
2004087250.tif 000014
【図１３】
2004087250.tif 000015
【図１４】
2004087250.tif 000016